(57)【要約】【課題】カード処理装置と取付フレームとを備えるカード処理装置の取付構造において、部品点数の削減が可能で、かつ、取付時間を短縮することが可能なカード処理装置の取付構造を提供する。【解決手段】カード処理装置の取付構造７では、取付フレーム６ａの規制部６ｒとカード処理装置３の規制部３ｒとによって、Ｘ方向とＹ方向とＺ方向とにおいて取付フレーム６ａに対するカード処理装置３の相対移動が規制されている。規制部６ｒは、規制部３ｒの一部分に係合して、Ｘ１方向への取付フレーム６ａに対するカード処理装置３の相対移動を規制する係合部６ｊを備えている。係合部６ｊは、取付フレーム６ａに対するカード処理装置３の相対移動が規制される規制位置から、取付フレーム６ａに対するカード処理装置３の相対移動の規制が解除される解除位置への弾性変形が可能な弾性片であり、規制部３ｒの一部分にスナップフィットによって係合している。【選択図】図２
2018120556.tif 000002
【特許請求の範囲】
【請求項１】
カードに対して所定の処理を行うカード処理装置と、前記カード処理装置が取り付けられる取付フレームとを備え、
前記カード処理装置で搬送される前記カードの搬送方向と前記カード処理装置で搬送される前記カードの厚さ方向とに直交する方向を前記カードの幅方向とすると、
前記取付フレームは、前記カードの搬送方向と前記カードの厚さ方向と前記カードの幅方向とにおいて前記取付フレームに対する前記カード処理装置の相対移動を規制するためのフレーム側規制部を備え、
前記カード処理装置は、前記フレーム側規制部に係合して、前記カードの搬送方向と前記カードの厚さ方向と前記カードの幅方向とにおいて前記取付フレームに対する前記カード処理装置の相対移動を規制する処理装置側規制部を備え、
前記フレーム側規制部および前記処理装置側規制部のいずれか一方は、前記フレーム側規制部および前記処理装置側規制部のいずれか他方の一部分に係合して、前記カードの搬送方向の少なくとも片方向または前記カードの厚さ方向の少なくとも片方向あるいは前記カードの幅方向の少なくとも片方向である第１規制方向への前記取付フレームに対する前記カード処理装置の相対移動を規制する係合部を備え、
前記係合部は、前記第１規制方向への前記取付フレームに対する前記カード処理装置の相対移動が規制される規制位置から、前記第１規制方向への前記取付フレームに対する前記カード処理装置の相対移動の規制が解除される解除位置への弾性変形が可能な弾性片であり、前記フレーム側規制部および前記処理装置側規制部のいずれか他方の一部分にスナップフィットによって係合していることを特徴とするカード処理装置の取付構造。
【請求項２】
前記取付フレームは、樹脂で形成され、
前記係合部は、前記取付フレームに形成され、
前記取付フレームには、前記カード処理装置が取り付けられる平面状のフレーム側取付面が形成され、
前記カード処理装置は、前記フレーム側取付面に接触する平面状の処理装置側取付面が形成される平板状の被取付部を備え、
前記フレーム側取付面および前記処理装置側取付面は、前記カードの厚さ方向に直交する平面となっており、
前記フレーム側規制部は、前記第１規制方向と前記カードの厚さ方向の一方向とを除く残りの３方向または４方向への前記取付フレームに対する前記カード処理装置の相対移動を規制する突起部を備え、
前記突起部は、前記フレーム側取付面よりも前記カード処理装置側へ突出しており、
前記被取付部の一部分が前記処理装置側規制部となっていることを特徴とする請求項１記載のカード処理装置の取付構造。
【請求項３】
前記第１規制方向は、前記カードの搬送方向の少なくとも片方向であり、
前記被取付部には、前記係合部に接触して前記第１規制方向への前記取付フレームに対する前記カード処理装置の相対移動を規制する第１接触面と、前記突起部に接触して前記カードの幅方向への前記取付フレームに対する前記カード処理装置の相対移動を規制する第２接触面と、前記突起部に接触して前記カードの厚さ方向の他方向への前記取付フレームに対する前記カード処理装置の相対移動を規制する第３接触面とが形成され、
前記突起部は、前記第２接触面が接触する第１接触部と、前記第３接触面が接触する第２接触部とを備えることを特徴とする請求項２記載のカード処理装置の取付構造。
【請求項４】
前記第１規制方向は、前記カードの搬送方向の片方向であり、
前記被取付部には、前記第１接触部に接触して前記第１規制方向の反対方向への前記取付フレームに対する前記カード処理装置の相対移動を規制する第４接触面が形成されていることを特徴とする請求項３記載のカード処理装置の取付構造。
【請求項５】
前記突起部は、前記第１接触部と前記第２接触部とから構成され、
前記第１接触部は、前記カードの厚さ方向の一方側へ伸びるように形成され、
前記第２接触部は、前記第１接触部の先端から前記カードの搬送方向の一方側へ伸びるように形成され、
前記カードの幅方向から見たときの前記突起部の形状は、Ｌ形状となっていることを特徴とする請求項３または４記載のカード処理装置の取付構造。
【請求項６】
前記規制位置から前記解除位置への前記係合部の弾性変形を防止するためのロック部材を備え、
前記係合部は、前記取付フレームに形成され、
前記取付フレームには、前記規制位置から前記解除位置へ前記係合部を弾性変形させるための切欠き部が形成され、
前記ロック部材は、前記切欠き部に嵌っていることを特徴とする請求項１から５に記載のカード処理装置の取付構造。
【請求項７】
前記ロック部材は、略Ｕ形状に形成されており、スナップフィットによって前記切欠き部に係合していることを特徴とする請求項６記載のカード処理装置の取付構造。
【請求項８】
請求項１から７のいずれかに記載のカード処理装置の取付構造と、発行前の前記カードが積層されて収容されるカードカセットと、前記カードカセットが着脱可能に取り付けられるカセット着脱フレームと、前記カードカセットから前記カード処理装置に向かって前記カードを送り出すカード送出機構とを備え、
前記取付フレームと前記カセット着脱フレームとは、樹脂で形成されるとともに一体で形成されていることを特徴とするカード発行装置。
【請求項９】
前記カード処理装置と前記カードカセットとは、前記カードの搬送方向において隣り合うように配置され、
前記第１規制方向は、前記カードの搬送方向の少なくとも片方向であり、
前記カードの搬送方向において、前記カードカセットに対して前記カード処理装置が配置される側を前側とすると、
前記カセット着脱フレームの前面には、前記カードの厚さ方向および前記カードの幅方向の少なくともいずれか一方において前記カセット着脱フレームに対して前記カード処理装置を位置決めするための位置決め用突起が形成されていることを特徴とする請求項８記載のカード発行装置。
【発明の詳細な説明】
【技術分野】
【０００１】
本発明は、カードに対して所定の処理を行うカード処理装置と、カード処理装置が取り付けられる取付フレームとを備えるカード処理装置の取付構造に関する。また、本発明は、かかるカード処理装置の取付構造を備えるカード発行装置に関する。
【背景技術】
【０００２】
従来、カードリーダと、カードの発行および回収を行うカード発行回収部と、カードリーダが搭載される搭載部とを備えるカード発行装置が知られている（たとえば、特許文献１参照）。特許文献１に記載のカード発行装置では、搭載部は、薄鋼板によって形成されており、カードリーダは、ネジによって搭載部に固定されている。
【先行技術文献】
【特許文献】
【０００３】
【特許文献１】特開２０１３−２０２８３号公報
【発明の概要】
【発明が解決しようとする課題】
【０００４】
特許文献１に記載のカード発行装置では、カードリーダを搭載部に固定するためのネジが必要となるため、カード発行装置の部品点数が多くなる。また、このカード発行装置では、カードリーダを搭載部にネジで固定する必要があるため、搭載部に対するカードリーダの取り付けに時間がかかる。
【０００５】
そこで、本発明の課題は、カードに対して所定の処理を行うカード処理装置と、カード処理装置が取り付けられる取付フレームとを備えるカード処理装置の取付構造において、部品点数の削減が可能で、かつ、取付時間を短縮することが可能なカード処理装置の取付構造を提供することにある。また、本発明の課題は、かかるカード処理装置の取付構造を備えるカード発行装置を提供することにある。
【課題を解決するための手段】
【０００６】
上記の課題を解決するため、本発明のカード処理装置の取付構造は、カードに対して所定の処理を行うカード処理装置と、カード処理装置が取り付けられる取付フレームとを備え、カード処理装置で搬送されるカードの搬送方向とカード処理装置で搬送されるカードの厚さ方向とに直交する方向をカードの幅方向とすると、取付フレームは、カードの搬送方向とカードの厚さ方向とカードの幅方向とにおいて取付フレームに対するカード処理装置の相対移動を規制するためのフレーム側規制部を備え、カード処理装置は、フレーム側規制部に係合して、カードの搬送方向とカードの厚さ方向とカードの幅方向とにおいて取付フレームに対するカード処理装置の相対移動を規制する処理装置側規制部を備え、フレーム側規制部および処理装置側規制部のいずれか一方は、フレーム側規制部および処理装置側規制部のいずれか他方の一部分に係合して、カードの搬送方向の少なくとも片方向またはカードの厚さ方向の少なくとも片方向あるいはカードの幅方向の少なくとも片方向である第１規制方向への取付フレームに対するカード処理装置の相対移動を規制する係合部を備え、係合部は、第１規制方向への取付フレームに対するカード処理装置の相対移動が規制される規制位置から、第１規制方向への取付フレームに対するカード処理装置の相対移動の規制が解除される解除位置への弾性変形が可能な弾性片であり、フレーム側規制部および処理装置側規制部のいずれか他方の一部分にスナップフィットによって係合していることを特徴とする。
【０００７】
本発明のカード処理装置の取付構造では、取付フレームのフレーム側規制部と、カード処理装置の処理装置側規制部とによって、カードの搬送方向とカードの厚さ方向とカードの幅方向とにおいて取付フレームに対するカード処理装置の相対移動が規制されている。そのため、本発明では、取付フレームにカード処理装置を固定するためのネジが不要になる。したがって、本発明では、カード処理装置の取付構造の部品点数を削減することが可能になる。
【０００８】
また、本発明では、フレーム側規制部および処理装置側規制部のいずれか一方は、フレーム側規制部および処理装置側規制部のいずれか他方の一部分に係合して、カードの搬送方向の両方向、カードの搬送方向の片方向、カードの厚さ方向の両方向、カードの厚さ方向の片方向、カードの幅方向の両方向またはカードの幅方向の片方向である第１規制方向への取付フレームに対するカード処理装置の相対移動を規制する係合部を備えている。この係合部は、第１規制方向への取付フレームに対するカード処理装置の相対移動が規制される規制位置から、第１規制方向への取付フレームに対するカード処理装置の相対移動の規制が解除される解除位置への弾性変形が可能な弾性片であり、フレーム側規制部および処理装置側規制部のいずれか他方の一部分にスナップフィットによって係合している。そのため、本発明では、第１規制方向への取付フレームに対するカード処理装置の相対移動を規制する係合部の弾性を利用したスナップフィットによって、取付フレームにカード処理装置を最終的に固定することが可能になる。そのため、本発明では、取付フレームにカード処理装置がネジで固定される場合と比較して、取付フレームへのカード処理装置の取付時間を短縮することが可能になる。
【０００９】
本発明において、取付フレームは、樹脂で形成され、係合部は、取付フレームに形成され、取付フレームには、カード処理装置が取り付けられる平面状のフレーム側取付面が形成され、カード処理装置は、フレーム側取付面に接触する平面状の処理装置側取付面が形成される平板状の被取付部を備え、フレーム側取付面および処理装置側取付面は、カードの厚さ方向に直交する平面となっており、フレーム側規制部は、第１規制方向とカードの厚さ方向の一方向とを除く残りの３方向または４方向への取付フレームに対するカード処理装置の相対移動を規制する突起部を備え、突起部は、フレーム側取付面よりもカード処理装置側へ突出しており、被取付部の一部分が処理装置側規制部となっていることが好ましい。
【００１０】
このように構成すると、弾性片である係合部や突起部が樹脂製の取付フレームに形成されているため、係合部や突起部を容易に形成することが可能になる。また、このように構成すると、弾性片である係合部や突起部がカード処理装置に形成されていないため、カード処理装置の構成を簡素化することが可能になる。また、このように構成すると、突起部を用いて、第１規制方向とカードの厚さ方向の一方向とを除く残りの３方向または４方向への取付フレームに対するカード処理装置の相対移動を規制することができるため、取付フレームの構成を簡素化することが可能になる。
【００１１】
本発明において、たとえば、第１規制方向は、カードの搬送方向の少なくとも片方向であり、被取付部には、係合部に接触して第１規制方向への取付フレームに対するカード処理装置の相対移動を規制する第１接触面と、突起部に接触してカードの幅方向への取付フレームに対するカード処理装置の相対移動を規制する第２接触面と、突起部に接触してカードの厚さ方向の他方向への取付フレームに対するカード処理装置の相対移動を規制する第３接触面とが形成され、突起部は、第２接触面が接触する第１接触部と、第３接触面が接触する第２接触部とを備えている。この場合には、比較的簡易な構成で、カードの搬送方向とカードの厚さ方向とカードの幅方向とにおいて取付フレームに対するカード処理装置の相対移動を規制することが可能になる。
【００１２】
本発明において、たとえば、第１規制方向は、カードの搬送方向の片方向であり、被取付部には、第１接触部に接触して第１規制方向の反対方向への取付フレームに対するカード処理装置の相対移動を規制する第４接触面が形成されている。
【００１３】
本発明において、たとえば、突起部は、第１接触部と第２接触部とから構成され、第１接触部は、カードの厚さ方向の一方側へ伸びるように形成され、第２接触部は、第１接触部の先端からカードの搬送方向の一方側へ伸びるように形成され、カードの幅方向から見たときの突起部の形状は、Ｌ形状となっている。
【００１４】
本発明において、カード処理装置の取付構造は、規制位置から解除位置への係合部の弾性変形を防止するためのロック部材を備え、係合部は、取付フレームに形成され、取付フレームには、規制位置から解除位置へ係合部を弾性変形させるための切欠き部が形成され、ロック部材は、切欠き部に嵌っていることが好ましい。このように構成すると、取付フレームにカード処理装置が取り付けられた後に、規制位置から解除位置へ係合部が弾性変形して取付フレームからカード処理装置が外れるのを防止することが可能になる。
【００１５】
本発明において、ロック部材は、略Ｕ形状に形成されており、スナップフィットによって切欠き部に係合していることが好ましい。このように構成すると、規制位置から解除位置への係合部の弾性変形を防止するためのロック部材が設けられていても、取付フレームへのカード処理装置の取付時間を短縮することが可能になる。
【００１６】
本発明のカード処理装置の取付構造は、発行前のカードが積層されて収容されるカードカセットと、カードカセットが着脱可能に取り付けられるカセット着脱フレームと、カードカセットからカード処理装置に向かってカードを送り出すカード送出機構とを備えるカード発行装置であって、取付フレームとカセット着脱フレームとが樹脂で形成されるとともに一体で形成されているカード発行装置に用いることができる。このカード発行装置では、カード発行装置の部品点数の削減が可能になるとともに、取付フレームへのカード処理装置の取付時間を短縮することが可能になる。
【００１７】
本発明において、たとえば、カード処理装置とカードカセットとは、カードの搬送方向において隣り合うように配置され、第１規制方向は、カードの搬送方向の少なくとも片方向であり、カードの搬送方向において、カードカセットに対してカード処理装置が配置される側を前側とすると、カセット着脱フレームの前面には、カードの厚さ方向およびカードの幅方向の少なくともいずれか一方においてカセット着脱フレームに対してカード処理装置を位置決めするための位置決め用突起が形成されている。この場合には、カセット着脱フレームの前面に位置決め用突起が形成されていても、係合部を解除位置に弾性変形させた状態で前側から取付フレームにカード処理装置を取り付けることが可能になる。
【発明の効果】
【００１８】
以上のように、本発明のカード処理装置の取付構造およびカード発行装置では、部品点数の削減が可能になるとともに、取付フレームへのカード処理装置の取付時間を短縮することが可能になる。
【図面の簡単な説明】
【００１９】
【図１】本発明の実施の形態にかかるカード発行装置の側面図である。
【図２】図１のＥ部の斜視図である。
【図３】図１に示す本体フレームの斜視図である。
【図４】図３のＦ部の拡大図である。
【図５】図１に示すカードリーダの斜視図である。
【図６】図２に示すロック部材の斜視図である。
【図７】図４に示す取付フレームの切欠き部へのロック部材の嵌込み状態を説明するための図である。
【発明を実施するための形態】
【００２０】
以下、図面を参照しながら、本発明の実施の形態を説明する。
【００２１】
（カード発行装置の概略構成）
図１は、本発明の実施の形態にかかるカード発行装置１の側面図である。図２は、図１のＥ部の斜視図である。図３は、図１に示す本体フレーム６の斜視図である。
【００２２】
本形態のカード発行装置１は、カード２（図２参照）に対して所定の処理を行うカード処理装置３と、発行前のカード２が収容されるカードカセット４と、カードカセット４からカード処理装置３に向かってカード２を送り出すカード送出機構５と、本体フレーム６とを備えている。本形態のカード処理装置３は、カード２に記録されたデータの読取りおよびカード２へのデータの記録の少なくともいずれか一方を行うカードリーダである。したがって、以下では、本形態のカード処理装置３を「カードリーダ３」とする。カードリーダ３は、カード２の搬送機構を有するカード搬送式のカードリーダである。
【００２３】
カード２は、たとえば、厚さが０．７〜０．８ｍｍ程度の長方形状の塩化ビニール製のカードである。このカード２には、たとえば、磁気データが記録される磁気ストライプが形成されている。また、カード２には、たとえば、ＩＣチップが内蔵されている。カード２は、長方形状に形成されるカード２の長手方向とカード２の搬送方向とが一致するようにカードリーダ３で搬送される。なお、カード２は、厚さが０．１８〜０．３６ｍｍ程度のＰＥＴ（ポリエチレンテレフタレート）カードや、所定の厚さの紙カード等であっても良い。
【００２４】
本形態では、カードリーダ３において図１等に示すＸ方向にカード２が搬送される。すなわち、Ｘ方向は、カードリーダ３で搬送されるカード２の搬送方向である。また、Ｘ方向に直交する図１等のＺ方向は、カードリーダ３で搬送されるカード２の厚さ方向であり、Ｘ方向とＺ方向とに直交する図１等のＹ方向は、カードリーダ３で搬送されるカード２の幅方向（短手幅方向）である。
【００２５】
また、本形態では、Ｚ方向が鉛直方向と一致しているため、以下の説明では、Ｚ方向を上下方向とする。また、Ｘ方向を前後方向とし、Ｙ方向を左右方向とする。また、前後方向のうちのＸ１方向側を「前」側とし、その反対側であるＸ２方向側を「後ろ」側とし、左右方向のうちのＹ１方向側を「左」側とし、その反対側であるＹ２方向側を「右」側とし、上下方向のうちのＺ１方向側を「上」側とし、その反対側であるＺ２方向側を「下」側とする。
【００２６】
カードリーダ３は、カード発行装置１の前側部分を構成している。カードリーダ３の内部には、カード２が搬送されるカード搬送路が形成されている。また、カードリーダ３は、カード２に記録された磁気データの読取りやカード２への磁気データの記録を行う磁気ヘッドや、カード２の表面に形成されるＩＣチップの外部接続端子と接触してデータの通信を行うＩＣ接点等を備えている。カードリーダ３は、カードカセット４から送り出されたカード２にデータを記録して、カードリーダ３の前面からカード２を排出する。カードリーダ３の前面からカード２が排出されると、カード発行装置１でのカード２の発行が完了する。
【００２７】
本体フレーム６は、カードリーダ３が取り付けられる取付フレーム６ａと、カードカセット４が着脱可能に取り付けられるカセット着脱フレーム６ｂとを備えている。本体フレーム６は、樹脂で形成されている。すなわち、取付フレーム６ａとカセット着脱フレーム６ｂとは、樹脂で形成されている。また、取付フレーム６ａとカセット着脱フレーム６ｂとは、一体で形成されている。なお、本形態の本体フレーム６は、左右方向に２分割される２個の分割フレームによって構成されている。
【００２８】
取付フレーム６ａは、本体フレーム６の前側部分を構成している。カードリーダ３は、取付フレーム６ａの上面に載置されて固定されている。本形態では、カードリーダ３および取付フレーム６ａ等によって、カード処理装置の取付構造としてのカードリーダの取付構造７が構成されている。カードリーダの取付構造７の詳細な構成については後述する。
【００２９】
カセット着脱フレーム６ｂは、取付フレーム６ａよりも後ろ側に配置されている。また、カセット着脱フレーム６ｂは、取付フレーム６ａよりも上側に配置されており、カードリーダ３の後ろ側に配置されている。カセット着脱フレーム６ｂは、上面が開口する直方体の箱状に形成されている。カセット着脱フレーム６ｂの前面には、左右方向および上下方向の少なくともいずれか一方においてカセット着脱フレーム６ｂに対してカードリーダ３を位置決めするための位置決め用突起６ｃ（図３参照）が形成されている。
【００３０】
位置決め用突起６ｃは、カセット着脱フレーム６ｂの前面から前側へ突出するように形成されている。また、位置決め用突起６ｃは、カセット着脱フレーム６ｂの前面の、左右方向の両端側の２箇所に形成されている。本形態の位置決め用突起６ｃは、上下方向においてカセット着脱フレーム６ｂに対してカードリーダ３を位置決めする。カードリーダ３には、位置決め用突起６ｃが係合する係合穴が形成されている。
【００３１】
カードカセット４は、上下方向に細長い略直方体の箱状に形成されている。カードカセット４には、発行前のカード２が上下方向に積層されて収容されている。また、カード２は、カード２の長手方向と前後方向とが一致し、カード２の短手方向と左右方向とが一致するように、カードカセット４に収容されている。カードカセット４は、カードリーダ３の後ろ側に配置されている。すなわち、カードリーダ３は、カードカセット４に対して前側に配置されている。また、カードリーダ３とカードカセット４とは、前後方向において隣り合うように配置されている。カードカセット４は、カセット着脱フレーム６ｂに対して上側から着脱可能となっている。
【００３２】
カード送出機構５は、カードカセット４の下側に配置されている。このカード送出機構５は、たとえば、カードカセット４に収容されている複数のカード２のうちの一番下に配置されるカード２に係合してカード２をカードリーダ３に向かって送り出す送出爪、および、送出爪を移動させる爪送り機構等を備えている。爪送り機構は、たとえば、送出爪が固定されるチェーン、チェーンが掛け渡されるスプロケット、および、スプロケットを回転させるモータ等を備えている。
【００３３】
（カードリーダの取付構造の構成）
図４は、図３のＦ部の拡大図である。図５は、図１に示すカードリーダ３の斜視図である。図６は、図２に示すロック部材８の斜視図である。図７は、図４に示す切欠き部６ｐへのロック部材８の嵌込み状態を説明するための図である。
【００３４】
カードリーダの取付構造７は、カードリーダ３と、取付フレーム６ａと、取付フレーム６ａにカードリーダ３を確実に固定するための２個のロック部材８とから構成されている。取付フレーム６ａの外形は、上下方向の厚さが薄い扁平な略直方体状に形成されており、取付フレーム６ａの左右の側面は、左右方向に直交する平面となっている。カードリーダ３は、略直方体状に形成されており、上述のように、取付フレーム６ａの上面に載置されて固定されている。
【００３５】
取付フレーム６ａの上面には、カードリーダ３が取り付けられる（すなわち、カードリーダ３が載置される）平面状の取付面６ｄが形成されている。取付面６ｄは、上下方向に直交する平面となっている。また、取付面６ｄは、図４に示すように、取付フレーム６ａの上面の右端側の４箇所と左端側の４箇所との合計８箇所に形成されている。取付フレーム６ａの上面の右端側に形成される４個の取付面６ｄは、前後方向に所定の間隔をあけた状態で形成され、取付フレーム６ａの上面の左端側に形成される４個の取付面６ｄは、前後方向に所定の間隔をあけた状態で形成されている。本形態の取付面６ｄは、フレーム側取付面である。
【００３６】
カードリーダ３は、カードリーダ３の底面を構成する底面部３ａを備えている。底面部３ａは、薄鋼板によって形成されている。また、底面部３ａは、平板状に形成されており、底面部３ａの厚さ方向と上下方向とが一致するように配置されている。底面部３ａは、カードリーダ３の左右の両端側の２箇所に配置されている。底面部３ａの底面３ｂ（すなわち、カードリーダ３の底面、図１参照）は、取付面６ｄに接触する平面状に形成されている。すなわち、底面３ｂは、上下方向に直交する平面となっている。また、底面部３ａの上面３ｃも、上下方向に直交する平面となっている。本形態の底面３ｂは、処理装置側取付面であり、底面部３ａは、被取付部である。
【００３７】
取付フレーム６ａには、取付フレーム６ａの本体部から上側に突出する突起部６ｅが形成されている。突起部６ｅは、取付面６ｄよりも上側へ突出している。すなわち、突起部６ｅは、取付面６ｄよりもカードリーダ３側へ突出している。また、突起部６ｅは、取付フレーム６ａの上面の４箇所に形成されている。具体的には、突起部６ｅは、取付フレーム６ａの上面の右前端部、左前端部、右後端部および左後端部の４箇所に形成されている。
【００３８】
左右方向から見たときの突起部６ｅの形状は、Ｌ形状となっており、突起部６ｅは、上側へ伸びるように形成される第１接触部６ｆと、第１接触部６ｆの先端（上端）から前側へ伸びる第２接触部６ｇとから構成されている。第１接触部６ｆの前面は、前後方向に直交する平面となっている。第１接触部６ｆの左右の側面は、左右方向に直交する平面となっている。第２接触部６ｇの下面は、上下方向に直交する平面となっている。第２接触部６ｇの下面と取付面６ｄとの上下方向の距離は、底面部３ａの厚さ（上下方向の厚さ）とほぼ等しくなっている。
【００３９】
取付フレーム６ａの上面の左端側には、上下方向に弾性変形可能な２個の舌片部６ｈ、６ｊが形成されている。２個の舌片部６ｈ、６ｊは、前後方向に間隔をあけた状態で形成されており、舌片部６ｈが前側に配置され、舌片部６ｊが後ろ側に配置されている。舌片部６ｈと舌片部６ｊとは同形状に形成されている。舌片部６ｈ、６ｊは、舌片部６ｈ、６ｊの右端が取付フレーム６ａの本体部に繋がる舌片状に形成されており、舌片部６ｈ、６ｊの右端を支点にして上下方向に弾性変形可能な弾性片となっている。
【００４０】
舌片部６ｈ、６ｊの前後の両側には、スリット状の切込みが形成されている。舌片部６ｈ、６ｊの下側には、下側への舌片部６ｈ、６ｊの弾性変形が可能となるように切欠き部６ｐが形成されている。舌片部６ｈの先端（左端）には、上側に向かって突出する凸部６ｋが形成され、舌片部６ｊの先端（左端）には、上側に向かって突出する凸部６ｎが形成されている。すなわち、舌片部６ｈは、舌片部６ｈの先端に凸部６ｋを備えており、舌片部６ｊは、舌片部６ｊの先端に凸部６ｎを備えている。凸部６ｋと凸部６ｎとは同形状に形成されている。凸部６ｋ、６ｎの前後の両端面は、前後方向に直交する平面となっている。
【００４１】
カードリーダ３の底面部３ａの前端側には、左右方向の内側に向かって切り欠かれた切欠き部３ｅが形成されている。すなわち、右側に配置される底面部３ａの前端側には、底面部３ａの右端面から左側に向かって切り欠かれた切欠き部３ｅが形成され、左側に配置される底面部３ａの前端側には、底面部３ａの左端面から右側に向かって切り欠かれた切欠き部３ｅが形成されている。切欠き部３ｅの左右の内側面（すなわち、右側に配置される底面部３ａの切欠き部３ｅの左側面、および、左側に配置される底面部３ａの切欠き部３ｅの右側面）３ｆは、左右方向に直交する端面となっている。切欠き部３ｅの前側面は、前後方向に直交する端面となっている。
【００４２】
左側に配置される底面部３ａには、底面部３ａの左端面から右側に向かって切り欠かれた２個の切欠き部３ｈ、３ｊが形成されている。切欠き部３ｈは、切欠き部３ｅの後ろ側に形成され、切欠き部３ｊは、切欠き部３ｈの後ろ側に形成されている。切欠き部３ｈと切欠き部３ｊとは同形状に形成されている。切欠き部３ｈの後側面３ｋおよび切欠き部３ｊの後側面３ｎは、前後方向に直交する端面となっている。また、切欠き部３ｈの前側面および切欠き部３ｊの前側面も、前後方向に直交する端面となっている。また、底面部３ａの後端面３ｐは、前後方向に直交する端面となっている。
【００４３】
カードリーダ３が取付フレーム６ａに取り付けられた状態では、取付フレーム６ａの後ろ側に形成される２個の突起部６ｅの第１接触部６ｆは、カードリーダ３の底面部３ａの後ろ側に配置され、取付フレーム６ａの前側に形成される２個の突起部６ｅの第１接触部６ｆは、底面部３ａの切欠き部３ｅの中に配置されている。また、カードリーダ３が取付フレーム６ａに取り付けられた状態では、舌片部６ｈの凸部６ｋは、底面部３ａの切欠き部３ｈの中に配置され、舌片部６ｊの凸部６ｎは、切欠き部３ｊの中に配置されている。
【００４４】
また、カードリーダ３が取付フレーム６ａに取り付けられた状態では、切欠き部３ｊの後側面３ｎと、舌片部６ｊの凸部６ｎの後端面とが接触し、底面部３ａの後端面３ｐと、取付フレーム６ａの後ろ側に形成される２個の突起部６ｅの第１接触部６ｆの前面とが接触している。また、２個の切欠き部３ｅの内側面３ｆのそれぞれと、取付フレーム６ａの前側に形成される２個の突起部６ｅの第１接触部６ｆの左右方向の内側面のそれぞれとが接触している。
【００４５】
また、カードリーダ３が取付フレーム６ａに取り付けられた状態では、底面部３ａの上面３ｃと、４個の突起部６ｅの第２接触部６ｇの下面とが接触している。具体的には、取付フレーム６ａの後ろ側に形成される２個の突起部６ｅの第２接触部６ｇの下面と、上面３ｃの後端側部分とが接触し、取付フレーム６ａの前側に形成される２個の突起部６ｅの第２接触部６ｇの下面と、上面３ｃの、切欠き部３ｅの前側部分とが接触している。また、底面部３ａの底面３ｂと、取付フレーム６ａの取付面６ｄとが接触している。
【００４６】
このように、カードリーダ３が取付フレーム６ａに取り付けられた状態では、切欠き部３ｊの後側面３ｎと舌片部６ｊの凸部６ｎとによって、取付フレーム６ａに対するカードリーダ３の前方向への相対移動が規制され、底面部３ａの後端面３ｐと、取付フレーム６ａの後ろ側に形成される突起部６ｅの第１接触部６ｆとによって、取付フレーム６ａに対するカードリーダ３の後ろ方向への相対移動が規制されている。
【００４７】
また、カードリーダ３が取付フレーム６ａに取り付けられた状態では、２個の切欠き部３ｅの内側面３ｆと取付フレーム６ａの前側に形成される突起部６ｅの第１接触部６ｆとによって、取付フレーム６ａに対するカードリーダ３の左右の両方向への移動が規制され、底面部３ａの底面３ｂおよび上面３ｃと４個の突起部６ｅの第２接触部６ｇと取付面６ｄとによって、取付フレーム６ａに対するカードリーダ３の上下の両方向への移動が規制されている。
【００４８】
本形態では、取付面６ｄと突起部６ｅと舌片部６ｊとによって、前後方向と左右方向と上下方向とにおいて取付フレーム６ａに対するカードリーダ３の相対移動を規制するための規制部６ｒが構成されている。すなわち、取付フレーム６ａは、前後方向と左右方向と上下方向とにおいて取付フレーム６ａに対するカードリーダ３の相対移動を規制するための規制部６ｒを備えている。本形態の規制部６ｒは、フレーム側規制部である。
【００４９】
また、本形態では、切欠き部３ｊの後側面３ｎと、底面部３ａの後端面３ｐと、切欠き部３ｅの内側面３ｆと、底面部３ａの底面３ｂおよび上面３ｃとによって、規制部６ｒに係合して、前後方向と左右方向と上下方向とにおいて取付フレーム６ａに対するカードリーダ３の相対移動を規制する規制部３ｒが構成されている。すなわち、カードリーダ３は、規制部６ｒに係合して、前後方向と左右方向と上下方向とにおいて取付フレーム６ａに対するカードリーダ３の相対移動を規制する規制部３ｒを備えている。また、底面部３ａの一部分が規制部３ｒとなっている。本形態の規制部３ｒは、処理装置側規制部である。
【００５０】
また、本形態の舌片部６ｊは、規制部３ｒの一部分である切欠き部３ｊの後側面３ｎに係合して、取付フレーム６ａに対するカードリーダ３の前方向への相対移動を規制する係合部となっている。すなわち、係合部である舌片部６ｊが取付フレーム６ａに形成されている。また、規制部６ｒは、前方向と下方向とを除く残りの４方向（すなわち、後ろ方向、左右の両方向および上方向）への取付フレーム６ａに対するカードリーダ３の相対移動を規制する突起部６ｅを備えている。本形態の前方向は、カード２の搬送方向の片方向である第１規制方向となっている。
【００５１】
また、本形態の切欠き部３ｊの後側面３ｎは、係合部である舌片部６ｊに接触して取付フレーム６ａに対するカードリーダ３の前方向への相対移動を規制する第１接触面であり、切欠き部３ｅの内側面３ｆは、突起部６ｅの第１接触部６ｆに接触して取付フレーム６ａに対するカードリーダ３の左右方向への相対移動を規制する第２接触面であり、底面部３ａの上面３ｃは、突起部６ｅの第２接触部６ｇに接触して取付フレーム６ａに対するカードリーダ３の上方向への相対移動を規制する第３接触面である。また、底面部３ａの後端面３ｐは、突起部６ｅの第１接触部６ｆに接触して取付フレーム６ａに対するカードリーダ３の後ろ方向への相対移動を規制する第４接触面である。
【００５２】
なお、本形態では、カードリーダ３が取付フレーム６ａに取り付けられたときに、取付フレーム６ａの前側に形成される２個の突起部６ｅの第１接触部６ｆの前面と切欠き部３ｅの前側面との間にわずかな隙間が形成され、切欠き部３ｈの後側面３ｋと舌片部６ｈの凸部６ｋの後端面との間にわずかな隙間が形成されている。また、カードリーダ３が取付フレーム６ａに取り付けられた状態では、切欠き部３ｈの前側面と舌片部６ｈの凸部６ｋの前端面との間に隙間が形成され、切欠き部３ｊの前側面と舌片部６ｊの凸部６ｎの前端面との間に隙間が形成されている。
【００５３】
上述のように、舌片部６ｊは、舌片部６ｊの右端を支点にして上下方向に弾性変形可能な弾性片となっている。舌片部６ｊに外力が作用していないときには、舌片部６ｊの凸部６ｎは、切欠き部３ｊの中に配置されており、取付フレーム６ａに対するカードリーダ３の前方向への相対移動が規制されている。また、舌片部６ｊに対して所定の外力が下方向に作用すると、凸部６ｎが切欠き部３ｊから外れて取付フレーム６ａに対するカードリーダ３の前方向への相対移動の規制が解除されるまで、舌片部６ｊが下側へ弾性変形する。
【００５４】
すなわち、舌片部６ｊは、舌片部６ｊの凸部６ｎの後端面が切欠き部３ｊの後側面３ｎに接触して取付フレーム６ａに対するカードリーダ３の前方向への相対移動が規制される規制位置から、舌片部６ｊの凸部６ｎの後端面と切欠き部３ｊの後側面３ｎとの接触状態が解除されて取付フレーム６ａに対するカードリーダ３の前方向への相対移動の規制が解除される解除位置への弾性変形が可能となっている。舌片部６ｊの下側に形成される切欠き部６ｐは、規制位置から解除位置へ舌片部６ｊを弾性変形させるために形成されている。同様に、舌片部６ｈに外力が作用していないときには、舌片部６ｈの凸部６ｋは、切欠き部３ｈの中に配置されている。また、舌片部６ｈに対して所定の外力が下方向に作用すると、凸部６ｋが切欠き部３ｈから外れるまで、舌片部６ｈが下側へ弾性変形する。
【００５５】
本形態では、取付フレーム６ａの前側から後ろ側に向かってカードリーダ３をスライドさせて、取付フレーム６ａにカードリーダ３を取り付ける。取付フレーム６ａに対してカードリーダ３をスライドさせるときには、舌片部６ｈの凸部６ｋおよび舌片部６ｊの凸部６ｎが底面部３ａに接触しないように、舌片部６ｈ、６ｊに外力を加えて、舌片部６ｈ、６ｊを下側に弾性変形させる。また、後ろ側へスライドするカードリーダ３の底面部３ａの後端面３ｐが取付フレーム６ａの後ろ側に形成される２個の突起部６ｅの第１接触部６ｆの前面に接触すると、舌片部６ｈ、６ｊに作用する外力を取り除く。舌片部６ｈ、６ｊに作用する外力が取り除かれると、凸部６ｋが切欠き部３ｈの中に配置され、凸部６ｎが切欠き部３ｊの中に配置される。
【００５６】
また、舌片部６ｊに作用する外力が取り除かれると、凸部６ｎの後端面が切欠き部３ｊの後側面３ｎに接触し、舌片部６ｊは、切欠き部３ｊの後側面３ｎに係合する。すなわち、舌片部６ｊを解除位置まで撓ませた状態で、取付フレーム６ａの後ろ側に形成される２個の突起部６ｅの第１接触部６ｆの前面に底面部３ａの後端面３ｐが接触するまでカードリーダ３をスライドさせた後、舌片部６ｊに作用する外力を取り除くことで、舌片部６ｊを切欠き部３ｊの後側面３ｎに係合させており、舌片部６ｊは、舌片部６ｊの弾性を利用したスナップフィットによって切欠き部３ｊの後側面３ｎに係合している。なお、取付フレーム６ａにカードリーダ３が取り付けられると、カセット着脱フレーム６ｂの位置決め用突起６ｃがカードリーダ３の係合穴に係合する。
【００５７】
ロック部材８は、樹脂で形成されている。また、図６に示すように、ロック部材８は、略Ｕ形状に形成されている。２個のロック部材８のうちの一方のロック部材８は、図７に示すように、舌片部６ｊの下側に形成される切欠き部６ｐに嵌っており、規制位置から解除位置への舌片部６ｊの弾性変形を防止している。また、２個のロック部材８のうちの他方のロック部材８は、舌片部６ｈの下側に形成される切欠き部６ｐに嵌っており、下方向への舌片部６ｈの弾性変形を防止している。
【００５８】
ロック部材８は、略Ｕ形状に形成されるロック部材８の開口側が左側に配置されるように切欠き部６ｐに嵌っている。また、ロック部材８の開口側を前後方向の内側に撓ませた状態でロック部材８を切欠き部６ｐの中に配置した後、ロック部材８に作用する外力を取り除くことで、ロック部材８を切欠き部６ｐに係合させており、ロック部材８は、ロック部材８の弾性を利用したスナップフィットによって切欠き部６ｐに係合している。本形態では、取付フレーム６ａの前側から後ろ側に向かってカードリーダ３をスライドさせて、取付フレーム６ａにカードリーダ３を取り付けた後、図７に示すように、ロック部材８を左側から切欠き部６ｐに嵌める。
【００５９】
（本形態の主な効果）
以上説明したように、本形態では、取付フレーム６ａの規制部６ｒと、カードリーダ３の規制部３ｒとによって、前後方向と左右方向と上下方向とにおいて取付フレーム６ａに対するカードリーダ３の相対移動が規制されている。そのため、本形態では、取付フレーム６ａにカードリーダ３を固定するためのネジが不要になる。したがって、本形態では、カード発行装置１の部品点数を削減することが可能になる。
【００６０】
本形態では、切欠き部３ｊの後側面３ｎと舌片部６ｊとが接触し、取付フレーム６ａの後ろ側に形成される突起部６ｅの第１接触部６ｆの前面と底面部３ａの後端面３ｐとが接触し、取付フレーム６ａの前側に形成される突起部６ｅの第１接触部６ｆの左右の内側面と２個の切欠き部３ｅの内側面３ｆとが接触し、底面部３ａの上面３ｃと突起部６ｅの第２接触部６ｇの下面とが接触し、底面部３ａの底面３ｂと取付面６ｄとが接触するように、前側から後ろ側に向かってカードリーダ３をスライドさせて、取付フレーム６ａにカードリーダ３を取り付けている。また、本形態では、規制位置から解除位置への弾性変形が可能な舌片部６ｊの弾性を利用したスナップフィットによって舌片部６ｊが切欠き部３ｊの後側面３ｎに係合しており、舌片部６ｊの弾性を利用したスナップフィットによって、取付フレーム６ａにカードリーダ３が最終的に固定されている。そのため、本形態では、取付フレーム６ａにカードリーダ３がネジで固定される場合と比較して、取付フレーム６ａへのカードリーダ３の取付時間を短縮することが可能になる。
【００６１】
本形態では、規制位置から解除位置への弾性変形が可能な舌片部６ｊによって、取付フレーム６ａに対するカードリーダ３の前方向への相対移動が規制されており、前側から後ろ側に向かってカードリーダ３をスライドさせて、取付フレーム６ａにカードリーダ３を取り付けている。そのため、本形態では、カセット着脱フレーム６ｂの前面に位置決め用突起６ｃが形成されていても、取付フレーム６ａにカードリーダ３を取り付けることが可能になる。
【００６２】
本形態では、切欠き部３ｊの後側面３ｎと舌片部６ｊの凸部６ｎとによって、取付フレーム６ａに対するカードリーダ３の前方向への相対移動が規制され、底面部３ａの後端面３ｐと取付フレーム６ａの後ろ側に形成される突起部６ｅの第１接触部６ｆとによって、取付フレーム６ａに対するカードリーダ３の後ろ方向への相対移動が規制され、切欠き部３ｅの内側面３ｆと取付フレーム６ａの前側に形成される突起部６ｅの第１接触部６ｆとによって、取付フレーム６ａに対するカードリーダ３の左右の両方向への移動が規制され、底面部３ａの底面３ｂおよび上面３ｃと４個の突起部６ｅの第２接触部６ｇと取付面６ｄとによって、取付フレーム６ａに対するカードリーダ３の上下の両方向への移動が規制されている。そのため、本形態では、比較的簡易な構成で、前後方向と左右方向と上下方向とにおいて取付フレーム６ａに対するカードリーダ３の相対移動を規制することが可能になる。
【００６３】
また、本形態では、突起部６ｅを用いて、前方向と下方向とを除く残りの４方向（すなわち、後ろ方向、左右の両方向および上方向）への取付フレーム６ａに対するカードリーダ３の相対移動を規制することができるため、取付フレーム６ｂの構成を簡素化することが可能になる。
【００６４】
本形態では、舌片部６ｊの下側に、規制位置から解除位置へ舌片部６ｊを弾性変形させるための切欠き部６ｐが形成されているが、この切欠き部６ｐには、規制位置から解除位置への舌片部６ｊの弾性変形を防止するロック部材８が嵌っている。そのため、本形態ででは、取付フレーム６ａにカードリーダ３が取り付けられた後に、規制位置から解除位置へ舌片部６ｊが弾性変形して取付フレーム６ａからカードリーダ３が外れるのを防止することが可能になる。また、本形態では、ロック部材８は、ロック部材８の弾性を利用したスナップフィットによって切欠き部６ｐに係合しているため、切欠き部６ｐにロック部材８が嵌っていても、取付フレーム６ａへのカードリーダ３の取付時間を短縮することが可能になる。
【００６５】
（他の実施の形態）
上述した形態は、本発明の好適な形態の一例ではあるが、これに限定されるものではなく本発明の要旨を変更しない範囲において種々変形実施が可能である。
【００６６】
上述した形態において、カードリーダ３が取付フレーム６ａに取り付けられたときに、切欠き部３ｊの前側面と舌片部６ｊの凸部６ｎの前端面とが接触していても良い。この場合には、たとえば、取付フレーム６ａの後ろ側に形成される２個の突起部６ｅの第１接触部６ｆの前面と底面部３ａの後端面３ｐとの間に隙間が形成されている。この場合には、切欠き部３ｊの後側面３ｎおよび前側面と、舌片部６ｊの凸部６ｎとによって、取付フレーム６ａに対するカードリーダ３の前後の両方向への相対移動が規制されている。
【００６７】
この場合の切欠き部３ｊの前側面は、規制部３ｒの一部を構成しており、前後方向は、第１規制方向となっている。また、切欠き部３ｊの前側面は、係合部である舌片部６ｊに接触する第１接触面となっている。また、この場合には、舌片部６ｊは、スナップフィットによって切欠き部３ｊの後側面３ｎおよび前側面に係合している。また、この場合には、突起部６ｅを利用して、前後方向と下方向とを除く残りの３方向（すなわち、左右の両方向および上方向）への取付フレーム６ａに対するカードリーダ３の相対移動が規制されている。
【００６８】
上述した形態において、カードリーダ３が取付フレーム６ａに取り付けられたときに、切欠き部３ｈの後側面３ｋと舌片部６ｈの凸部６ｋの後端面とが接触していても良い。この場合には、切欠き部３ｈの後側面３ｋは、規制部３ｒの一部を構成している。また、舌片部６ｈは、規制部３ｒの一部分である切欠き部３ｈの後側面３ｋに係合して、取付フレーム６ａに対するカードリーダ３の前方向への相対移動を規制する係合部となっている。また、上述した形態において、カードリーダ３が取付フレーム６ａに取り付けられたときに、取付フレーム６ａの前側に形成される２個の突起部６ｅの第１接触部６ｆの前面と切欠き部３ｅの前側面とが接触していても良い。
【００６９】
上述した形態において、前後方向から見たときの形状がＬ形状となるように、突起部６ｅが形成されていても良い。すなわち、突起部６ｅは、上側へ伸びるように形成される第１接触部６ｆと、第１接触部６ｆの先端（上端）から右側または左側へ伸びる第２接触部６ｇとから構成されていても良い。
【００７０】
上述した形態において、突起部６ｅは、第２接触部６ｇの先端（前端）から下側に向かって突出する凸部を備えていても良い。この場合には、凸部の後面は、前後方向に直交する平面となっている。また、底面部３ａには、凸部が嵌る係合穴または切欠き部が形成されている。カードリーダ３が取付フレーム６ａに取り付けられた状態では、係合穴または切欠き部の後側面と凸部の後面とが接触しており、係合穴または切欠き部の後側面と凸部の後面とによって、取付フレーム６ａに対するカードリーダ３の前方向への相対移動が規制されている。すなわち、この場合には、突起部６ｅを用いて、前後方向、左右方向および上方向への取付フレーム６ａに対するカードリーダ３の相対移動が規制されている。
【００７１】
また、この場合には、突起部６ｅは、取付フレーム６ａに対するカードリーダ３の前方向への相対移動が規制される規制位置（すなわち、係合穴または切欠き部の後側面と凸部の後面とが接触する位置）から、取付フレーム６ａに対するカードリーダ３の前方向への相対移動の規制が解除される解除位置（すなわち、係合穴または切欠き部よりも上側に凸部が退避する位置）への弾性変形が可能な弾性片となっており、スナップフィットによって係合穴または切欠き部の後側面に係合している。この場合の係合穴または切欠き部の後側面は、規制部３ｒの一部を構成している。また、この場合の突起部６ｅは係合部となっており、舌片部６ｊは不要になる。
【００７２】
上述した形態において、突起部６ｅを利用して、取付フレーム６ａに対するカードリーダ３の前後の両方向および上方向への移動を規制し、かつ、取付フレーム６ａに対するカードリーダ３の左右方向への相対移動が規制される規制位置から、取付フレーム６ａに対するカードリーダ３の左右方向への相対移動の規制が解除される解除位置への弾性変形が可能な係合部によって、取付フレーム６ａに対するカードリーダ３の左右の両方向への移動を規制しても良い。この場合には、左右方向が第１規制方向となる。
【００７３】
また、突起部６ｅを利用して、取付フレーム６ａに対するカードリーダ３の、左方向、前後の両方向および上方向への移動を規制し、かつ、取付フレーム６ａに対するカードリーダ３の右方向への相対移動が規制される規制位置から、取付フレーム６ａに対するカードリーダ３の右方向への相対移動の規制が解除される解除位置への弾性変形が可能な係合部によって、取付フレーム６ａに対するカードリーダ３の右方向への移動を規制しても良い。この場合には、右方向が第１規制方向となる。
【００７４】
さらに、突起部６ｅを利用して、取付フレーム６ａに対するカードリーダ３の、右方向、前後の両方向および上方向への移動を規制し、かつ、取付フレーム６ａに対するカードリーダ３の左方向への相対移動が規制される規制位置から、取付フレーム６ａに対するカードリーダ３の左方向への相対移動の規制が解除される解除位置への弾性変形が可能な係合部によって、取付フレーム６ａに対するカードリーダ３の左方向への移動を規制しても良い。この場合には、左方向が第１規制方向となる。
【００７５】
これらの場合には、係合部は、スナップフィットによって底面部３ａの一部分に係合する。また、これらの場合には、取付フレーム６ａの右側から左側に向かってカードリーダ３をスライドさせて、あるいは、取付フレーム６ａの左側から右側に向かってカードリーダ３をスライドさせて、取付フレーム６ａにカードリーダ３を取り付ける。
【００７６】
また、上述した形態において、第１接触部６ｆのみによって構成される突起部６ｅを利用して、取付フレーム６ａに対するカードリーダ３の前後の両方向および左右の両方向への移動を規制し、かつ、取付フレーム６ａに対するカードリーダ３の上方向への相対移動が規制される規制位置から、取付フレーム６ａに対するカードリーダ３の上方向への相対移動の規制が解除される解除位置への弾性変形が可能な係合部によって、取付フレーム６ａに対するカードリーダ３の上方向への移動を規制しても良い。この場合には、上方向が第１規制方向となる。
【００７７】
また、第１接触部６ｆのみによって構成される突起部６ｅを利用して、取付フレーム６ａに対するカードリーダ３の前後の両方向および左右の両方向への移動を規制し、かつ、取付フレーム６ａに対するカードリーダ３の上下方向への相対移動が規制される規制位置から、取付フレーム６ａに対するカードリーダ３の上下方向への相対移動の規制が解除される解除位置への弾性変形が可能な係合部によって、取付フレーム６ａに対するカードリーダ３の上下方向への移動を規制しても良い。この場合には、上下方向が第１規制方向となる。
【００７８】
これらの場合には、係合部は、スナップフィットによって底面部３ａの一部分に係合する。また、これらの場合には、上側から取付フレーム６ａにカードリーダ３を取り付ける。
【００７９】
上述した形態では、ロック部材８は、ロック部材８の弾性を利用したスナップフィットによって切欠き部６ｐに係合しているが、切欠き部６ｐに差し込まれたロック部材８がネジ等によって取付フレーム６ａに固定されていても良い。また、上述した形態において、取付フレーム６ａの切欠き部６ｐにロック部材８が嵌っていなくても良い。
【００８０】
上述した形態において、突起部６ｅおよび舌片部６ｈ、６ｊに相当する構成がカードリーダ３に形成されていても良い。ただし、上述した形態のように、樹脂製の取付フレーム６ａに突起部６ｅおよび舌片部６ｈ、６ｊが形成されていると、弾性片である舌片部６ｈ、６ｊや突起部６ｅを容易に形成することが可能になる。また、上述した形態のように、取付フレーム６ａに突起部６ｅおよび舌片部６ｈ、６ｊが形成されていると、カードリーダ３の構成を簡素化することが可能になる。
【００８１】
上述した形態において、カードリーダ３に代えて、カード２の表面に印字を行うプリンタ、または、カード２の表面の印字等を読み取るイメージセンサ、あるいは、カード２の搬送方向を切り替える切替装置等が取付フレーム６ａに取り付けられていても良い。すなわち、カード処理装置３は、カードリーダ以外の装置であっても良い。また、上述した形態において、カードリーダの取付構造７は、カード発行装置１以外の装置に用いられても良い。
【符号の説明】
【００８２】
１  カード発行装置
２  カード
３  カードリーダ（カード処理装置）
３ａ  底面部（被取付部）
３ｂ  底面（処理装置側取付面）
３ｃ  上面（第３接触面）
３ｆ  内側面（第２接触面）
３ｎ  後側面（第１接触面）
３ｐ  後端面（第４接触面）
３ｒ  規制部（処理装置側規制部）
４  カードカセット
５  カード送出機構
６ａ  取付フレーム
６ｂ  カセット着脱フレーム
６ｃ  位置決め用突起
６ｄ  取付面（フレーム側取付面）
６ｅ  突起部
６ｆ  第１接触部
６ｇ  第２接触部
６ｊ  舌片部（係合部）
６ｐ  切欠き部
６ｒ  規制部（フレーム側規制部）
７  カードリーダの取付構造（カード処理装置の取付構造）
８  ロック部材
Ｘ  カードの搬送方向
Ｘ１  第１規制方向
Ｙ  カードの幅方向
Ｚ  カードの厚さ方向
【図１】
2018120556.tif 000003
【図２】
2018120556.tif 000004
【図３】
2018120556.tif 000005
【図４】
2018120556.tif 000006
【図５】
2018120556.tif 000007
【図６】
2018120556.tif 000008
【図７】
2018120556.tif 000009